(57)【要約】【課題】地上デジタルテレビジョン放送受信装置のプリセットを地域及び放送事業者の意図を反映して行い、プリセット情報をユーザに効率的に提示可能な地上デジタルテレビジョン放送受信装置及びその方法を提供する。【解決手段】地上デジタルテレビジョン放送の放送地域情報及びリモコンキー情報を受信する手段と、各地域毎の地上デジタルテレビジョン放送及びリモコンキー情報をチャンネルリストとして記憶する手段と、ユーザが入力した地域のチャンネルリストを記憶する手段と、地上デジタルテレビジョン放送を全局選局して選局情報を作成すると共に、リモコンキー情報の重複を検出した場合は放送地域情報に基づいて識別情報を付与する手段と、前記選局情報及び前記ユーザ地域のチャンネルリストに基づいてプリセット情報を作成する手段と、前記プリセット情報を表示する手段とを具備する。【選択図】図１
2005039576.tif 000002
【特許請求の範囲】
【請求項１】
地上デジタルテレビジョン放送として、当該地上デジタルテレビジョン放送の放送地域情報及び当該地上デジタルテレビジョン放送を対応付けるリモコンキー情報を受信する受信手段と、予め各地域毎にプリセットすべき地上デジタルテレビジョン放送及び当該地上デジタルテレビジョン放送を対応付けるリモコンキー情報とを対応付けたチャンネル情報を記憶する第１の記憶手段と、前記第１の記憶手段に記憶されたチャンネル情報から、ユーザが入力した地域に対応するチャンネル情報を選択して記憶する第２の記憶手段と、前記受信手段に全ての地上デジタルテレビジョン放送を選局させて選局情報を作成すると共に、地上デジタルテレビジョン放送のリモコンキー情報の重複を検出した場合は、当該地上デジタルテレビジョン放送の放送地域情報に基づいて識別情報を付与する識別情報付与手段と、前記第２の記憶手段に記憶されたチャンネル情報及び前記識別情報付与手段で作成された選局情報に基づいてプリセット情報を作成するプリセット情報作成手段と、前記プリセット情報作成手段で作成されたプリセット情報を表示する表示手段とを具備することを特徴とする地上デジタルテレビジョン放送受信装置。
【請求項２】
プリセット情報作成手段は、識別情報付与手段で作成された選局情報に含まれる地上デジタルテレビジョン放送の放送地域情報がユーザが入力した地域に一致する場合は、当該地上デジタルテレビジョン放送のリモコンキー情報に基づいてプリセット情報を作成することを特徴とする請求項１記載の地上デジタルテレビジョン放送受信装置。
【請求項３】
プリセット情報作成手段は、識別情報付与手段で作成された選局情報に含まれる地上デジタルテレビジョン放送の放送地域情報がユーザが入力した地域に一致しない場合は、当該地上デジタルテレビジョン放送を第２の記憶手段に記憶されたチャンネル情報のリモコンキー情報以外のリモコンキー情報にプリセットしたプリセット情報を作成することを特徴とする請求項１記載の地上デジタルテレビジョン放送受信装置。
【請求項４】
表示手段は、プリセットされたリモコンキー情報及び識別情報を番組表表示画面、バナー表示画面または選局画面に表示することを特徴とする請求項１記載の地上デジタルテレビジョン放送受信装置。
【請求項５】
地上デジタルテレビジョン放送として、当該地上デジタルテレビジョン放送の放送地域情報及び当該地上デジタルテレビジョン放送を対応付けるリモコンキー情報を受信するステップと、予め各地域毎にプリセットすべき地上デジタルテレビジョン放送及び当該地上デジタルテレビジョン放送を対応付けるリモコンキー情報とを対応付けたチャンネル情報を記憶するステップと、前記各地域毎のチャンネル情報から、ユーザが入力した地域に対応するチャンネル情報を選択して記憶するステップと、全ての地上デジタルテレビジョン放送を選局させて選局情報を作成すると共に、地上デジタルテレビジョン放送のリモコンキー情報の重複を検出した場合は、当該地上デジタルテレビジョン放送の放送地域情報に基づいて識別情報を付与するステップと、前記ユーザが入力した地域に対応するチャンネル情報及び前記選局情報に基づいてプリセット情報を作成するステップと、前記プリセット情報を表示するステップとを具備することを特徴とする地上デジタルテレビジョン放送受信方法。
【請求項６】
プリセット情報を表示するステップは、プリセットされたリモコンキー情報及び識別情報を、番組表表示画面、バナー表示画面または選局画面に表示するステップであることを特徴とする請求項５記載の地上デジタルテレビジョン放送受信方法。
【発明の詳細な説明】
【技術分野】
【０００１】
本発明は、地上デジタルテレビジョン放送受信装置及びその方法に関し、更に詳しくは、地上デジタルテレビジョン放送受信装置のプリセットを地域及び放送事業者の意図を反映して行い、プリセット情報をユーザに効率的に提示可能な地上デジタルテレビジョン放送受信装置及びその方法に関する。
【背景技術】
【０００２】
現在、次世代のデジタルテレビジョン放送受信装置として地上波によるテレビジョン放送帯域を利用した地上デジタルテレビジョン放送を受信するための地上デジタルテレビジョン放送受信装置の開発が進められている。地上デジタルテレビジョン放送受信装置において地上デジタルテレビジョン放送を受信するためには、地上デジタルテレビジョン放送受信装置が設置されている地上デジタルテレビジョン放送エリア（以降、地域と称す）に応じたプリセットを行う必要がある。
【０００３】
地上アナログテレビジョン放送では、所定品位以上で受信した放送周波数を、前記放送周波数の物理チャンネルに対応する地上デジタルテレビジョン放送受信装置のリモコンキーもしくはリモコンキーの数字の小さい方で空いているリモコンキーにプリセットする。
【０００４】
一方、地上デジタルテレビジョン放送では、予め放送事業者が物理チャンネルをプリセットするリモコンキーの番号であるリモコンキーＩＤを決定しており、前記リモコンキーＩＤをサービスＩＤ等と共に地上デジタルテレビジョン放送受信装置に送信する。ここで、サービスＩＤとは地上デジタルテレビジョン放送を行う放送局が自局のサービスに付ける番号であって地域情報を含んでいる。地上デジタルテレビジョン放送受信装置は、所定品位以上で受信した放送周波数を、前記放送周波数に対応して送信されてきたリモコンキーＩＤに対応する地上デジタルテレビジョン放送受信装置のリモコンキーにプリセットする。
【０００５】
上記放送事業者が決定するリモコンキーＩＤは、地域内では重複することはないが、地上デジタルテレビジョン放送受信装置が設置されている地域によっては、他地域の地上デジタルテレビジョン放送を受信できる場合があり、前記場合、自地域の地上デジタルテレビジョン放送のリモコンキーＩＤと他地域の地上デジタルテレビジョン放送のリモコンキーＩＤが重複する可能性がでてくる。つまり、地上デジタルテレビジョン放送受信装置の所定のリモコンキーに対応付ける地上デジタルテレビジョン放送が複数存在してしまうという問題が発生する。
【０００６】
上記問題を解決するために、地上デジタルテレビジョン放送受信装置では、重複した地上デジタルテレビジョン放送を所定の計算式によって算出した３桁番号で識別するのではなく、４桁目の番号（以降、枝番と称す）によって重複した地上デジタルテレビジョン放送を識別する処理を行う。
【０００７】
公知の地上デジタルテレビジョン放送受信装置としては、ユーザが煩雑な操作を行うことなく、自動的に地上デジタルテレビジョン放送受信装置が設置されている地域に応じたプリセットを行う地上デジタルテレビジョン放送受信装置がある（例えば、特許文献１参照）。
【０００８】
上記地上デジタルテレビジョン放送受信装置は、ＧＰＳ（Ｇｌｏｂａｌ  Ｐｏｓｉｔｉｏｎｉｎｇ  Ｓｙｓｔｅｍ）等を利用して地上デジタルテレビジョン放送受信装置の設置位置を検出し、前記設置位置に基づいて地域及び前記地域に隣接する地域を決定する。そして、衛星放送、インターネット等を介して、決定した地域及び隣接する地域の選局情報を取得し、取得した選局情報を用いて選局を行う。図１８に取得した選局情報の一例を示す。選局情報は、地域１８０１、サービスＩＤ１８０２及び放送周波数１８０３から構成される。
【０００９】
上記処理後、地上デジタルテレビジョン放送受信装置は、受信状態が所定品位以上のサービスＩＤに対応する放送周波数をプリセット対象として、地上デジタルテレビジョン放送受信装置のリモコンキーにプリセットする。また、サービスＩＤが同一の放送周波数を受信した場合は、受信状態が最もよい放送周波数を択一選択して、選択した放送周波数をプリセット対象とする。
【特許文献１】特開２００１−２９８６７４号公報
【発明の開示】
【発明が解決しようとする課題】
【００１０】
しかしながら、上記従来の技術では、枝番で識別された地上デジタルテレビジョン放送をユーザに可視的に提示する手段がないという問題があった。
【００１１】
また、上記特許文献１の地上デジタルテレビジョン放送受信装置では、地上デジタルテレビジョン放送の放送事業者が決定したリモコンキーＩＤをサービスＩＤ等と共に送信することは前提になく、地上デジタルテレビジョン放送のプリセットには放送事業者の意図が反映されないという問題があった。また、地上デジタルテレビジョン放送の放送周波数帯域の全帯域を掃引していないため、地域毎に規定されている受信可能な地上デジタルテレビジョン放送以外でアンテナの向きや周辺環境によって更に受信可能な地上デジタルテレビジョン放送をプリセットできず、受信可能な全ての地上デジタルテレビジョン放送の視聴を希望するユーザを満足させることができないという問題もあった。
【００１２】
本発明は、上記事情に鑑みてなされたもので、地上デジタルテレビジョン放送の放送周波数帯域の全帯域を掃引して地上デジタルテレビジョン放送受信装置のリモコンキーに対応付ける地上デジタルテレビジョン放送を複数取得した場合に、地域及び放送事業者の意図を反映したリモコンキーへの対応付けを行い、ユーザにリモコンキーに対応付けた地上デジタルテレビジョン放送がどれであるかを効率的に提示することが可能な地上デジタルテレビジョン放送受信装置及びその方法を提供することを目的とする。
【課題を解決するための手段】
【００１３】
本発明の請求項１に係る地上デジタルテレビジョン放送受信装置は、地上デジタルテレビジョン放送として、当該地上デジタルテレビジョン放送の放送地域情報及び当該地上デジタルテレビジョン放送を対応付けるリモコンキー情報を受信する受信手段と、予め各地域毎にプリセットすべき地上デジタルテレビジョン放送及び当該地上デジタルテレビジョン放送を対応付けるリモコンキー情報とを対応付けたチャンネル情報を記憶する第１の記憶手段と、第１の記憶手段に記憶されたチャンネル情報から、ユーザが入力した地域に対応するチャンネル情報を選択して記憶する第２の記憶手段と、受信手段に全ての地上デジタルテレビジョン放送を選局させて選局情報を作成すると共に、地上デジタルテレビジョン放送のリモコンキー情報の重複を検出した場合は、当該地上デジタルテレビジョン放送の放送地域情報に基づいて識別情報を付与する識別情報付与手段と、第２の記憶手段に記憶されたチャンネル情報及び識別情報付与手段で作成された選局情報に基づいてプリセット情報を作成するプリセット情報作成手段と、プリセット情報作成手段で作成されたプリセット情報を表示する表示手段とを具備することを特徴とする。
【００１４】
また、本発明の請求項２に係る地上デジタルテレビジョン放送受信装置は、請求項１の構成において、プリセット情報作成手段は、識別情報付与手段で作成された選局情報に含まれる地上デジタルテレビジョン放送の放送地域情報がユーザが入力した地域に一致する場合は、当該地上デジタルテレビジョン放送のリモコンキー情報に基づいてプリセット情報を作成することを特徴とする。
【００１５】
また、本発明の請求項３に係る地上デジタルテレビジョン放送受信装置は、請求項１の構成において、プリセット情報作成手段は、識別情報付与手段で作成された選局情報に含まれる地上デジタルテレビジョン放送の放送地域情報がユーザが入力した地域に一致しない場合は、当該地上デジタルテレビジョン放送を第２の記憶手段に記憶されたチャンネル情報のリモコンキー情報以外のリモコンキー情報にプリセットしたプリセット情報を作成することを特徴とする。
【００１６】
また、本発明の請求項４に係る地上デジタルテレビジョン放送受信装置は、請求項１の構成において、表示手段は、プリセットされたリモコンキー情報及び識別情報を番組表表示画面、バナー表示画面または選局画面に表示することを特徴とする。
【００１７】
また、本発明の請求項５に係る地上デジタルテレビジョン放送受信方法は、地上デジタルテレビジョン放送として、当該地上デジタルテレビジョン放送の放送地域情報及び当該地上デジタルテレビジョン放送を対応付けるリモコンキー情報を受信するステップと、予め各地域毎にプリセットすべき地上デジタルテレビジョン放送及び当該地上デジタルテレビジョン放送を対応付けるリモコンキー情報とを対応付けたチャンネル情報を記憶するステップと、各地域毎のチャンネル情報から、ユーザが入力した地域に対応するチャンネル情報を選択して記憶するステップと、全ての地上デジタルテレビジョン放送を選局させて選局情報を作成すると共に、地上デジタルテレビジョン放送のリモコンキー情報の重複を検出した場合は、当該地上デジタルテレビジョン放送の放送地域情報に基づいて識別情報を付与するステップと、ユーザが入力した地域に対応するチャンネル情報及び選局情報に基づいてプリセット情報を作成するステップと、プリセット情報を表示するステップとを具備することを特徴とする。
【００１８】
また、本発明の請求項６に係る地上デジタルテレビジョン放送受信方法は、請求項５の構成において、プリセット情報を表示するステップは、プリセットされたリモコンキー情報及び識別情報を、番組表表示画面、バナー表示画面または選局画面に表示するステップであることを特徴とする。
【発明の効果】
【００１９】
本発明によれば、地上デジタルテレビジョン放送受信装置のリモコンキーに対応付ける地上デジタルテレビジョン放送が複数存在した場合でも、地域及び放送事業者の意図を反映した枝番付与及びリモコンキーへの対応付けを行い、前記結果を番組表、お好み選局画面等の表示画面において視覚的にユーザに提示することが可能となる。
【００２０】
また、ユーザは、同一のリモコンキーＩＤを持つ地上デジタルテレビジョン放送を、枝番を用いて区別して選局することが可能となる。
【発明を実施するための最良の形態】
【００２１】
（実施の形態１）
図１は、本発明の実施の形態に係る地上デジタルテレビジョン放送受信装置の構成を示すブロック図である。
【００２２】
地上デジタルテレビジョン放送受信装置１００は、選局部１０２と、分離部１０３と、制御部１０４と、物理チャンネルリスト作成部１０５と、サービスリスト作成部１０６と、プリセットリスト作成部１０７と、Ｄ／Ａ変換部１０８と、映像処理部１０９と、ＯＳＤ制御部１１０と、合成部１１１と、映像表示部１１２と、記憶部１１３と、チャンネルリスト記憶部１１４及びプリセットリスト記憶部１１５から構成され、アンテナ１０１を介して地上デジタルテレビジョン放送を受信し、受信した地上デジタルテレビジョン放送を映像表示部１１２に画面出力したり、入力部１１６を介してユーザからチャンネルプリセット要求または番組表表示要求等を受信し、チャンネルプリセット処理または番組表表示等を行う。
【００２３】
選局部１０２は、制御部１０４からのチューニング開始命令を受け、アンテナ１０１を介して地上デジタルテレビジョン放送信号を受信する。そして、受信した地上デジタルテレビジョン放送信号に高周波処理及び復調処理を行い、トランスポートストリームとして分離部１０３へ出力する。
【００２４】
分離部１０３は、選局部１０２からのトランスポートストリームをＭＰＥＧ（Ｍｏｖｉｎｇ  Ｐｉｃｔｕｒｅ  Ｅｘｐｅｒｔｓ  Ｇｒｏｕｐ）データであるデジタル映像信号及びデジタル音声信号と、付加情報である選局情報及び番組情報に分類し、ＭＰＥＧデータをＤ／Ａ変換部１０８へ出力し、付加情報を制御部１０４へ出力する。
【００２５】
制御部１０４は、物理チャンネルリスト作成部１０５、サービスリスト作成部１０６及びプリセットリスト作成部１０７を内蔵する。そして、入力部１１６を介してユーザからチャンネルプリセット要求を受信した場合は、チャンネルリスト記憶部１１４に記憶されたチャンネルリストからデフォルトチャンネルリストを作成し、前記デフォルトチャンネルリストに基づいて選局部１０２に対してチューニング開始命令を行い、チャンネルプリセット処理を実行する。チャンネルプリセット処理については後ほど図２を用いて詳述する。また、ユーザから番組表表示要求、お好み選局画面表示要求またはバナー表示要求を受信した場合は、記憶部１１３からの番組表情報及びプリセットリスト記憶部１１５からのプリセットリストから新たに番組表情報、お好み選局画面情報またはバナー情報を作成しＯＳＤ制御部１１０へ出力する。
【００２６】
物理チャンネルリスト作成部１０５は、選局部１０２で選局された地上デジタルテレビジョン放送の全帯域の掃引結果から物理チャンネルリストを作成する。
【００２７】
サービスリスト作成部１０６は、物理チャンネルリスト作成部１０５で作成された物理チャンネルリストを用いて、リモコンキーＩＤが重複する地上デジタルテレビジョン放送を検出して枝番付与を行い、サービスリストを作成して記憶部１１３へ出力する。また、前記サービスリストからプライマリーサービスリストを作成して記憶部１１３へ出力する。サービスリスト作成処理については、後ほど図３を用いて詳述する。
【００２８】
プリセットリスト作成部１０７は、記憶部１１３に記憶されたデフォルトチャンネルリスト及びプライマリーサービスリストから、サービスＩＤで示される地上デジタルテレビジョン放送が自地域内（以降、域内と称す）のものか、自地域外（以降、域外と称す）のものか判断する。そして、前記判断結果に基づいてプリセットリストを作成しプリセットリスト記憶部１１５へ出力する。プリセットリスト作成処理については、後ほど図４及び図５を用いて詳述する。
【００２９】
Ｄ／Ａ変換部１０８は、分離部１０３からのＭＰＥＧデータをアナログ変換する。そして、アナログ映像信号を映像処理部１０９へ出力し、アナログ音声信号を音声処理部（図示せず）へ出力する。音声処理部（図示せず）へ出力されたアナログ音声信号は増幅された後、スピーカ等の音声出力部（図示せず）にて音声出力される。
【００３０】
映像処理部１０９は、Ｄ／Ａ変換部１０８からのアナログ映像信号に輝度、コントラスト等の調整を行い、アナログ映像データとして合成部１１１へ出力する。
【００３１】
ＯＳＤ制御部１１０は、映像表示部１１２の画面に番組表やお好み選局画面を表示したり、あるいは表示された映像にバナーを重ねて表示するため、制御部１０４から取得した番組表情報、お好み選局画面情報またはバナー情報をＯＳＤ表示データとして合成部１１０へ出力する。
【００３２】
合成部１１１は、ＯＳＤ制御部１１０からＯＳＤ表示データとしてバナー情報が入力された場合、映像処理部１０９からのアナログ映像データとＯＳＤ制御部１１０からのバナー情報とを合成し、アナログ映像信号として映像表示部１１２へ出力する。また、ＯＳＤ制御部１１０からＯＳＤ表示データとして番組表情報またはお好み選局画面情報が入力された場合、前記番組表情報またはお好み選局画面情報をアナログ映像信号として映像表示部１１２へ出力する。なお、本実施の形態では、番組表情報またはお好み選局画面情報を映像処理部１０９からのアナログ映像データと切り替えて表示する構成としているが、映像処理部１０９からのアナログ映像データと合成して表示する構成としてもよい。
【００３３】
映像表示部１１２は、ブラウン管ディスプレイ、液晶ディスプレイまたはプラズマディスプレイ等の表示装置であり、合成部１１１からのアナログ映像信号に解像度変換等の調整を行って画面出力する。
【００３４】
記憶部１１３は、制御部１０４からの番組情報及びデフォルトチャンネルリストと、サービスリスト作成部１０６からのサービスリスト及びプライマリーサービスリストを記憶する。チャンネルリスト記憶部１１４は、全国の地域毎のチャンネルリストを記憶する。プリセットリスト記憶部１１５は、プリセットリスト作成部１０７からのプリセットリストを記憶する。
【００３５】
入力部１１６は、リモコン等の入力装置であり、ユーザからのチャンネルプリセット要求、番組表表示要求、お好み選局画面表示要求またはバナー表示要求を制御部１０４へ出力する。
【００３６】
本実施の形態では、選局部１０２及び分離部１０３が請求項に記載された受信手段に相当し、同様に、チャンネルリスト記憶手段１１４が第１の記憶手段、記憶部１１３が第２の記憶手段、制御部１０４、物理チャンネルリスト作成部１０５及びサービスリスト作成部１０６が識別情報付与手段、プリセットリスト作成部１０７及びプリセットリスト記憶部１１５がプリセット情報作成手段、制御部１０４、ＯＳＤ制御部１１０、合成部１１１及び映像表示部１１２が表示手段に相当する。
【００３７】
次に、チャンネルプリセット処理について図２に示すフローチャートを用いて説明する。
【００３８】
ユーザが入力部１１６を介してチャンネルプリセット要求として郵便番号、電話番号等の地域特定情報を入力した場合（Ｓ１０２）、制御部１０４は、地域特定情報から地上デジタルテレビジョン放送受信装置１００の設置地域を特定する（Ｓ１０４）。そして、チャンネルリスト記憶部１１４に記憶されたチャンネルリストから、設置地域のチャンネルリストを選択し、デフォルトチャンネルリストとして記憶部１１３に出力する（Ｓ１０６）。
【００３９】
チャンネルリスト及びデフォルトチャンネルリストの一例を図６及び図７に示す。チャンネルリスト６００は、全国の各地域６０１と、地域６０１で受信可能な地上デジタルテレビジョン放送の放送局名６０２及び放送局６０２を対応付けるリモコンキー６０３とを予め対応付けて規定したリストである。
【００４０】
デフォルトチャンネルリスト７００は、チャンネルリスト６００において、地上デジタルテレビジョン放送受信装置１００の設置地域７０１で受信可能な地上デジタルテレビジョン放送の放送局名７０２及び放送局７０２を対応付けるリモコンキー７０３とを対応付けて記憶したリストである。本実施の形態では、地上デジタルテレビジョン放送受信装置１００の設置地域を「地域Ａ」とし、チャンネルリスト６００から「地域Ａ」のデフォルトチャンネルリスト７００を作成して以降のチャンネルプリセット処理を行っている。
【００４１】
デフォルトチャンネルリスト７００を選択した後、物理チャンネルリスト作成部１０５は、選局部１０２及び分離部１０３を介して地上デジタルテレビジョン放送が行われている全物理チャンネルをスキャンし、所定品位以上で受信した物理チャンネルの各種情報を記載した物理チャンネルリストを作成する（Ｓ１０８、Ｓ１１０、Ｓ１１２）。
【００４２】
物理チャンネルリストの一例を図８に示す。物理チャンネルリスト８００は、受信可能な物理チャンネル（以降、物理ＣＨと称す）８０１と、物理ＣＨ８０１を受信する際のアンテナレベル８０２と、物理ＣＨ８０１を受信する際の放送周波数８０３と、物理ＣＨ８０１で受信可能な地上デジタルテレビジョン放送の放送局名８０４と、放送局８０４のサービスＩＤ８０５と、放送局８０４が自局のサービスを行うネットワークを識別するための番号であるネットワークＩＤ８０６及び放送局８０４を対応付けるリモコンキーＩＤ８０７とを対応付けたリストである。本実施の形態では、「地域Ａ」で受信可能な全ての物理チャンネルを物理チャンネルリスト８００に記載する。
【００４３】
上記処理後、更にサービスリスト作成処理（＃２００）、域内プリセットリスト作成処理（＃３００）及び域外プリセットリスト作成処理（＃４００）を経て、地上デジタルテレビジョン放送受信装置１００の設置地域に適したプリセットリストを作成しプリセットリスト記憶部１１５へ出力することでチャンネルプリセット処理を完了する。
【００４４】
次に、サービスリスト作成処理（＃２００）について図３に示すフローチャートを用いて説明する。
【００４５】
サービスリストの一例を図９に示す。サービスリスト９００は、地上デジタルテレビジョン放送の放送局名９０１と、放送局９０１のサービスＩＤ９０２と、放送局９０１のネットワークＩＤ９０３と、放送局９０１を対応付けるリモコンキーＩＤ９０４と、放送局９０１をダイレクト選局するための３桁番号９０５と、放送局９０１の枝番９０６と、リモコンキーＩＤ９０４に対応させる枝番９０６を識別するための枝番フラグ９０７とを対応付けて記憶したリストである。放送局名９０１、サービスＩＤ９０２、ネットワークＩＤ９０３及びリモコンキーＩＤ９０４は、夫々物理チャンネルリスト８００の放送局名８０４、サービスＩＤ８０５、ネットワークＩＤ８０６及びリモコンキーＩＤ８０７に基づいている。
【００４６】
サービスリスト作成部１０６は、放送局９０１のサービスＩＤ９０２、リモコンキーＩＤ９０４等を用いて、所定の方法により３桁番号９０５を算出する（Ｓ２０２）。そして、サービスリスト９００の全ての放送局９０１について、地上デジタルテレビジョン放送受信装置１００の設置地域及びサービスＩＤ９０２に含まれている地域情報から、サービスＩＤ９０２に対応する地上デジタルテレビジョン放送が域内の地上デジタルテレビジョン放送であるか域外の地上デジタルテレビジョン放送であるかを判定する（Ｓ２０４からＳ２１６でＮＯ）。
【００４７】
域内の地上デジタルテレビジョン放送であると判定した場合は（Ｓ２０６でＹＥＳ）、枝番９０６を「０」に設定する（Ｓ２０８）。
【００４８】
域外の地上デジタルテレビジョン放送であって、対応するリモコンキーＩＤ９０４での最初の域外の地上デジタルテレビジョン放送であると判定した場合は（Ｓ２０６でＮＯ、Ｓ２１０でＹＥＳ）、枝番９０６を「１」に設定する（Ｓ２１２）。
【００４９】
一方、域外の地上デジタルテレビジョン放送であって、対応するリモコンキーＩＤ９０４での最初の域外の地上デジタルテレビジョン放送でないと判定した場合は（Ｓ２０６でＮＯ、Ｓ２１０でＮＯ）、枝番９０６をインクリメントして設定する（Ｓ２１４）。
【００５０】
全ての放送局９０１について域内／域外の判定が完了した場合（Ｓ２１６でＹＥＳ）、設定した枝番９０６に基づいて、枝番９０６が「０」である地上デジタルテレビジョン放送の枝番フラグ９０７をＯＮ（値を「１」）とする（Ｓ２１８）。本実施の形態では、放送局「ＭＭＭ」９０８、放送局「ＴＴＴ」９０９、放送局「ＱＱＱ」９１２及び放送局「ＮＮＮ」９１３で放送される地上デジタルテレビジョン放送を域内の地上デジタルテレビジョン放送とし、枝番を「０」、枝番フラグを「１」としている。また、放送局「ＸＸＸ」９１０及び放送局「ＸＸＸ」９１１で放送される地上デジタルテレビジョン放送を域外の地上デジタルテレビジョン放送とし、放送局「ＸＸＸ」９１０の枝番を「１」、枝番フラグを「０」に、放送局「ＸＸＸ」９１１の枝番を「２」、枝番フラグを「０」にしている。
【００５１】
次に、上記処理によって完成したサービスリスト９００に基づいてプライマリーサービスリストを作成する（Ｓ２２０）。
【００５２】
プライマリーサービスリストの一例を図１０に示す。プライマリーサービスリスト１０００は、サービスリスト９００から、ネットワークＩＤ９０３及びサービスＩＤ９０２等を参照して、所定の方法によりプライマリーであると判断されたサービスＩＤ９０２に対応する情報を抽出したリストである。つまり、ネットワークＩＤ９０３が重複した放送局９０１を検出した場合はプライマリーの放送局９０１のみを抽出する。本実施の形態では、サービスリスト９００において、放送局「ＸＸＸ」９１０のネットワークＩＤ「０３００」と放送局「ＸＸＸ」９１１のネットワークＩＤ「０３００」の重複が検出されているが、所定の方法により放送局「ＸＸＸ」９１１のサービスＩＤ「０２１１」がプライマリーと判断されているため、プライマリーサービスリスト１０００には放送局「ＸＸＸ」９１１の情報が記載されている。
【００５３】
そして、作成されたプライマリーサービスリスト１０００は、サービスリスト９００と共に記憶部１１３に出力される。
【００５４】
次に、域内プリセットリスト作成処理（＃３００）について図４に示すフローチャートを用いて説明する。
【００５５】
プリセットリストの一例を図１１に示す。プリセットリスト１１００は、地上デジタルテレビジョン放送の放送局名１１０１と、放送局１１０１を対応付けるリモコンキー１１０２と、放送局１１０１をダイレクト選局するための３桁番号１１０３及び放送局１１０１の枝番１１０４とを対応付けたリストである。リモコンキー１１０２には、予めデフォルトチャンネルリスト７００のリモコンキー７０３が挿入されている。
【００５６】
記憶部１１３に記憶されたプライマリーサービスリスト１０００の放送局１００１のうち、域内の地上デジタルテレビジョン放送を行っている放送局を抽出し（Ｓ３０２）、抽出した放送局がデフォルトチャンネルリスト７００内の放送局７０２であると判断した場合は（Ｓ３０４でＹＥＳ）、抽出した放送局の放送局名１００１、３桁番号１００５及び枝番１００６を、リモコンキーＩＤ１００４と同じ番号であるリモコンキー１１０２に対応する放送局名１１０１、３桁番号１１０３及び枝番１１０４に挿入する（Ｓ３０６）。前記処理をプライマリーサービスリスト１０００の全ての域内の地上デジタルテレビジョン放送局に対して行い、プリセットリスト記憶部１１５に記憶する（Ｓ３０８）。本実施の形態では、プライマリーサービスリスト１０００の放送局「ＭＭＭ」１００８、放送局「ＴＴＴ」１００９、放送局「ＱＱＱ」１０１１及び放送局「ＮＮＮ」１０１２の各情報が夫々プリセットリスト１１００に挿入されている。
【００５７】
次に、域外プリセットリスト作成処理（＃４００）について図５に示すフローチャートを用いて説明する。
【００５８】
記憶部１１３に記憶されたプライマリーサービスリスト１０００の放送局１００１のうち、域外の地上デジタルテレビジョン放送を行っている放送局を抽出し（Ｓ４０２）、抽出した放送局がデフォルトチャンネルリスト７００内の放送局７０２であると判断した場合は（Ｓ４０４でＹＥＳ）、抽出した放送局の放送局名１００１、３桁番号１００５及び枝番１００６を、リモコンキーＩＤ１００４と同じ番号であるリモコンキー１１０２に対応する放送局名１１０１、３桁番号１１０３及び枝番１１０４に挿入する（Ｓ４０６）。
【００５９】
一方、抽出した放送局がデフォルトチャンネルリスト７００内の放送局７００でないと判断した場合は（Ｓ４０４でＮＯ）、抽出した放送局の放送局名１１０１、３桁番号１００５及び枝番１００６を、空きリモコンキー１１０２に対応する放送局名１１０１、３桁番号１１０３及び枝番１１０４に挿入する（Ｓ４０８）。
【００６０】
そして、前記処理をプライマリーサービスリスト１０００の全ての域外の地上デジタルテレビジョン放送局に対して行い、プリセットリスト記憶部１１５に記憶する（Ｓ４１０）。
【００６１】
域内の地上デジタルテレビジョン放送をプリセットした後で、域外の地上デジタルテレビジョン放送局を全てプリセットしたプリセットリスト１１００を図１２に示す。本実施の形態では、プライマリーサービスリスト１０００の放送局「ＸＸＸ」１０１０が域外の地上デジタルテレビジョン放送局であるため、放送局「ＸＸＸ」１０１０の情報は、図１２（ａ）に示すように、プリセットリスト１１００に新たに追加された空きリモコンキー１２０１に挿入される。ここで、新たに追加可能なリモコンキーは「１３」から「３６」とする。あるいは、図１２（ｂ）に示すようにプリセットリスト１１００の所定の空きリモコンキー１２０３に挿入するようにしてもよい。
【００６２】
なお、図１２（ｂ）において、放送局「ＸＸＸ」１２０２の情報が所定のリモコンキー１２０３に挿入された後で前記リモコンキー１２０３に挿入すべき地上デジタルテレビジョン放送局が検出された場合は、挿入すべき地上デジタルテレビジョン放送局の情報を前記リモコンキー１２０３に挿入し、放送局「ＸＸＸ」１２０２の情報を図１２（ａ）の新たに追加されたリモコンキー１２０１に挿入する。あるいは、放送局１２０２の情報を更に別の空きリモコンキー１２０３に更に挿入するようにしてもよい。
【００６３】
次に、プリセットリスト記憶部１１５に記憶された地上デジタルテレビジョン放送受信装置１００のプリセット情報をユーザに提示する方法について説明する。
【００６４】
図１３に番組表表示画面を示す。ユーザが入力部１１６を介して番組表表示要求を入力した場合、地上デジタルテレビジョン放送受信装置１００は、記憶部１１３に記憶された番組情報及びプリセットリスト記憶部１１５に記憶されたプリセットリスト１１００の情報を基に番組表１３００を作成して映像表示部１１２に画面出力する。
【００６５】
番組表１３００は、一方の軸を放送時間帯、他方の軸をチャンネルとしてチャンネル毎の放送内容を表示しており、チャンネルの欄に放送局名１３０１、番組情報に含まれている放送局１３０１のロゴ１３０５、放送局１３０１をリモコンのワンタッチボタンで選局するためのリモコンキー１３０２及び放送局１３０１をダイレクト選局するための３桁番号１３０３を同時表示する。ここで、放送局１３０１に枝番が付与されている場合は枝番を付与した番号１３０４を表示する。また、現在視聴中のチャンネルに関しては、ロゴ１３０５を「視聴中」等の表示に切り替え（１３０６）、他の視聴していないチャンネルと識別表示する。
【００６６】
図１４にバナー表示画面を示す。ユーザが入力部１１６を介してバナー表示要求を入力した場合、地上デジタルテレビジョン放送受信装置１００は、記憶部１１３に記憶された番組情報及びプリセットリスト記憶部１１５に記憶されたプリセットリスト１１００の情報を基にバナー表示画面１４００を作成して現在視聴中の番組映像１４０１に重畳して映像表示部１１２に画面出力する。
【００６７】
バナー表示画面１４００は、現在視聴中の番組の詳細情報（１４０２、１４０３）、前記番組を放送している放送局のロゴ１４０４、前記放送局のリモコンキー１４０５、前記放送局の３桁番号または枝番を付与した番号１４０６及び現在時刻１４０７を同時表示する。
【００６８】
図１５にお好み選局画面を示す。ユーザが入力部１１６を介してお好み選局画面表示要求を入力した場合、地上デジタルテレビジョン放送受信装置１００は、記憶部１１３に記憶された番組情報及びプリセットリスト記憶部１１５に記憶されたプリセットリスト１１００の情報を基にお好み選局画面１５００を作成して映像表示部１１２に画面出力する。
【００６９】
お好み選局画面１５００は、リモコンのワンタッチボタンで選局可能な「１」から「１２」のリモコンキーだけでなく、リモコンにプリセット可能な「１」から「３６」のリモコンキーを全て表示する。「１」から「１２」のリモコンキーは１／３画面１５０１の「１」から「１２」に対応付けて表示され、「１３」から「２４」のリモコンキーは２／３画面１５０２の「１」から「１２」に対応付けて表示され、「２５」から「３６」のリモコンキーは３／３画面１５０３の「１」から「１２」に対応付けて表示される。そして、プリセットリスト１１００のプリセット情報（３桁番号あるいは枝番を付加した番号、ロゴ）を対応するリモコンキーに表示する。
【００７０】
なお、本実施の形態では、「１」から「３６」のリモコンキーに対応する放送局を同一画面で表示しているが、ユーザ操作により１／３画面１５０１、２／３画面１５０２、３／３画面１５０３に分割して順に表示するようにしてもよい。お好み選局画面１５００により、ユーザは「１」から「３６」のリモコンキーに対応した全ての放送局をダイレクトに選局できる。
【００７１】
本実施の形態では、図１２（ａ）のプリセットリスト１１００からお好み選局画面１５００を作成する。図１２（ａ）において、放送局「ＸＸＸ」１２０２は「１３」のリモコンキー１２０１に挿入されているため、放送局「ＸＸＸ」１２０２は２／３画面１５０２の「１」に表示される（１５０４）。
【００７２】
また、ユーザはお好み選局画面１５００において、表示された放送局を所望のリモコンキーに新たに対応付けてプリセットリスト１１００を再設定することもできる。図１６に再設定したお好み選局画面１６００を示す。本実施の形態では、図１５のお好み選局画面１５００において「１３」のリモコンキー１５０４に対応付けた放送局「ＸＸＸ」１２０２を、所定操作により「３」のリモコンキー１６０１に設定している。前記処理によりプリセットリスト１１００は、図１２（ｂ）のプリセットリスト１１００のように再設定される。
【００７３】
以上の説明では、プライマリーである放送局を番組表１３００及びお好み選局画面１５００から選局できることを説明したが、ユーザは図１７に示す枝番選局画面を用いることによってプライマリーでない放送局についても選局することができる。
【００７４】
枝番選局画面１７００は、記憶部１１３に記憶されたサービスリスト９００に基づいて、複数の枝番が存在する３桁番号１７０１の枝番が付与された放送局を全て表示した画面である。ユーザはカーソル１７０２を移動させることによって、カーソル１７０２で選択された放送局を選局することができる。本実施の形態では、サービスリスト９００の放送局「ＴＴＴ」９０９、放送局「ＸＸＸ」９１０及び放送局「ＸＸＸ」９１１が枝番が付加された放送局であるため、３桁番号「０２０」の枝番選局画面１７００にて放送局「ＴＴＴ」９０９、放送局「ＸＸＸ」９１０及び放送局「ＸＸＸ」９１１を一覧表示する。なお、複数の枝番選局画面１７００が存在する場合は、所定のユーザ操作により複数の枝番選局画面１７００を切り替えて提示する。
【００７５】
また、ユーザは、枝番選局画面１７００において所定操作を行うことにより、プライマリーとして設定されていない放送局を、プライマリーの放送局と設定することもできる。前記場合、前記放送局に関する情報はプライマリーサービスリスト１０００に追加され、前記放送局とネットワークＩＤが同じでプライマリーとして設定されていた放送局に関する情報は、プライマリーサービスリスト１０００から削除される。
【産業上の利用可能性】
【００７６】
本発明の地上デジタルテレビジョン放送受信装置及びその方法は、地上デジタルテレビジョン放送受信装置のリモコンキーに対応付ける地上デジタルテレビジョン放送が複数存在した場合でも、地域及び放送事業者の意図を反映した枝番付与及びリモコンキーへの対応付けを行い、前記結果を番組表、お好み選局画面等の表示画面において視覚的にユーザに提示することが可能となり、また、ユーザは、同一のリモコンキーＩＤを持つ地上デジタルテレビジョン放送を、枝番を用いて区別して選局することが可能となるため、地上デジタルテレビジョン放送を受信可能でかつ番組表を表示可能な全ての表示機器にも適用できる。
【図面の簡単な説明】
【００７７】
【図１】本発明の実施の形態１に係る地上デジタルテレビジョン放送受信装置の構成を示すブロック図
【図２】同実施の形態に係るチャンネルプリセット処理を示すフローチャート
【図３】同実施の形態に係るサービスリスト作成処理を示すフローチャート
【図４】同実施の形態に係る域内プリセットリスト作成処理を示すフローチャート
【図５】同実施の形態に係る域外プリセットリスト作成処理を示すフローチャート
【図６】同実施の形態に係るチャンネルリストの一例を示す図
【図７】同実施の形態に係るデフォルトチャンネルリストの一例を示す図
【図８】同実施の形態に係る物理チャンネルリストの一例を示す図
【図９】同実施の形態に係るサービスリストの一例を示す図
【図１０】同実施の形態に係るプライマリーサービスリストの一例を示す図
【図１１】同実施の形態に係る域内の地上デジタルテレビジョン放送設定後のプリセットリストの一例を示す図
【図１２】（ａ）同実施の形態に係る域外の地上デジタルテレビジョン放送設定後のプリセットの一例を示す図（ｂ）同実施の形態に係る域外の地上デジタルテレビジョン放送設定後のプリセットの他の一例を示す図
【図１３】同実施の形態に係る番組表表示画面を示す図
【図１４】同実施の形態に係るバナー表示画面を示す図
【図１５】同実施の形態に係るお好み選局画面を示す図
【図１６】同実施の形態に係るお好み選局画面でのプリセットリスト再設定を示す図
【図１７】同実施の形態に係る枝番選局画面を示す図
【図１８】従来の地上デジタルテレビジョン放送受信装置で記憶する選局情報を示す図
【符号の説明】
【００７８】
１００    地上デジタルテレビジョン放送受信装置
１０１    アンテナ
１０２    選局部
１０３    分離部
１０４    制御部
１０５    物理チャンネルリスト作成部
１０６    サービスリスト作成部
１０７    プリセットリスト作成部
１０８    Ｄ／Ａ変換部
１０９    映像処理部
１１０    ＯＳＤ制御部
１１１    合成部
１１２    映像表示部
１１３    記憶部
１１４    チャンネルリスト記憶部
１１５    プリセットリスト記憶部
１１６    入力部
【図１】
2005039576.tif 000003
【図２】
2005039576.tif 000004
【図３】
2005039576.tif 000005
【図４】
2005039576.tif 000006
【図５】
2005039576.tif 000007
【図６】
2005039576.tif 000008
【図７】
2005039576.tif 000009
【図８】
2005039576.tif 000010
【図９】
2005039576.tif 000011
【図１０】
2005039576.tif 000012
【図１１】
2005039576.tif 000013
【図１２】
2005039576.tif 000014
【図１３】
2005039576.tif 000015
【図１４】
2005039576.tif 000016
【図１５】
2005039576.tif 000017
【図１６】
2005039576.tif 000018
【図１７】
2005039576.tif 000019
【図１８】
2005039576.tif 000020